(57)【要約】【課題】耐屈曲性の高いアクティブマトリクス型表示装置を提供する。【解決手段】屈曲可能な基板上に画素となる表示素子毎に薄膜トランジスタを備えたアクティブマトリクス型表示装置において、前記薄膜トランジスタ各々に接続される電極配線が波形形状であることを特徴とするアクティブマトリクス型表示装置。【選択図】        図１
2004294643.tif 000002
【特許請求の範囲】
【請求項１】
屈曲可能な基板上に画素となる表示素子毎に薄膜トランジスタを備えたアクティブマトリクス型表示装置において、
前記薄膜トランジスタに接続される電極配線が波形形状であることを特徴とするアクティブマトリクス型表示装置。
【請求項２】
前記波形形状がサインカーブ状であることを特徴とする請求項１に記載のアクティブマトリクス型表示装置。
【請求項３】
隣接する前記薄膜トランジスタのソース電極間を接続する前記電極配線の前記波形形状の波数が０．５〜５．０であることを特徴とする請求項１又は２に記載のアクティブマトリクス型表示装置。
【請求項４】
隣接する前記薄膜トランジスタのソース電極間を接続する電極配線の前記波形形状の振幅が、前記隣接する前記薄膜トランジスタのソース電極間の距離をＡとしたときに０．０１Ａ〜０．５Ａであることを特徴とする請求項１〜３のいずれか１項に記載のアクティブマトリクス型表示装置。
【請求項５】
隣接する前記薄膜トランジスタのゲート電極間を接続する前記電極配線の前記波形形状の波数が０．５〜５．０であることを特徴とする請求項１〜４のいずれか１項に記載のアクティブマトリクス型表示装置。
【請求項６】
隣接する前記薄膜トランジスタのゲート電極間を接続する電極配線の前記波形形状の振幅が、前記隣接する前記薄膜トランジスタのゲート電極間の距離をＢとしたときに０．０１Ｂ〜０．５Ｂであることを特徴とする請求項１〜５のいずれか１項に記載のアクティブマトリクス型表示装置。
【請求項７】
屈曲可能な基板上に画素となる表示素子毎に薄膜トランジスタを備えたアクティブマトリクス型表示装置において、
前記薄膜トランジスタに接続される電極配線が複数の輪を連結した鎖形状であることを特徴とするアクティブマトリクス型表示装置。
【請求項８】
隣接する前記薄膜トランジスタのソース電極間を接続する前記電極配線の前記輪の数が１〜１０であることを特徴とする請求項７に記載のアクティブマトリクス型表示装置。
【請求項９】
隣接する前記薄膜トランジスタのゲート電極間を接続する前記電極配線の前記輪の数が１〜１０であることを特徴とする請求項７又は８に記載のアクティブマトリクス型表示装置。
【発明の詳細な説明】
【０００１】
【発明の属する技術分野】
本発明は、例えば液晶表示装置等のアクティブマトリクス型表示装置に関し、特に屈曲可能なアクティブマトリクス型表示装置に関する。
【０００２】
【従来の技術】
アクティブマトリクス型表示装置において、例えば液晶表示装置では一対の透明な基板上に表示電極、ソース電極、ゲート電極、それらを接続する電極配線等の複数の電極、電極配線を形成しており、これらを覆って配向膜等を形成し、それぞれラビング処理などの配向処理を施した上、フィルム基板間に液晶をシール材で囲んで封入し、この状態で対向する電極間に電界を選択的に印加することにより、情報を表示するように構成されている。
【０００３】
このような液晶表示素子のフィルム基板に形成される電極や電極配線は、その素材として、例えば、インジウム合金（ＩＴＭ）、あるいは酸化インジウムの金属酸化物（ＩＴＯ）などの２種類があり、通常は真空蒸着、スパッタリング、イオンプレーティングなどの方法により成膜され、フォトリソグラフィ法により所定形状に形成されている。
【０００４】
アクティブマトリクス型表示装置において、各薄膜トランジスタの各電極に接続される電極配線は通常表示素子の配列に沿った形状となっており、直線状やジグザグ状の形状をしていた（例えば特許文献１参照）。
【０００５】
【特許文献１】
特開平６−３４２１５６号公報
【０００６】
【発明が解決しようとする課題】
近年、アクティブマトリクス型表示装置では、基板に屈曲可能なフレキシブル基板を用いる場合があり、このようなフレキシブル基板を用いたアクティブマトリクス型表示装置は、通常の平面状態での使用に加え、例えば球面等のような曲面に貼り付けて使用したいような場合であっても、屈曲可能なフレキシブル基板を用いているのでディスプレイを曲面の形状に合わせて曲げて使用することが可能である。
【０００７】
しかしながら、ディスプレイを曲げるような場合には、基板上に形成された電極配線も同じように曲げられた状態となる。
【０００８】
この場合、従来の電極配線の形状は曲げなどの応力に対しての耐久性が十分ではなく、曲げの程度によっては、亀裂や断線などが生じてしまうような場合があった。
【０００９】
本発明は係る課題に鑑みてなされたものであり、本発明の目的は耐屈曲性の高いアクティブマトリクス型表示装置を提供することである。
【００１０】
【課題を解決するための手段】
本発明の上記目的は下記構成により達成される。
【００１１】
（１）  屈曲可能な基板上に画素となる表示素子毎に薄膜トランジスタを備えたアクティブマトリクス型表示装置において、前記薄膜トランジスタに接続される電極配線が波形形状であることを特徴とするアクティブマトリクス型表示装置。
【００１２】
（２）  前記波形形状がサインカーブ状であることを特徴とする（１）に記載のアクティブマトリクス型表示装置。
【００１３】
（３）  隣接する前記薄膜トランジスタのソース電極間を接続する前記電極配線の前記波形形状の波数が０．５〜５．０であることを特徴とする（１）又は（２）に記載のアクティブマトリクス型表示装置。
【００１４】
（４）  隣接する前記薄膜トランジスタのソース電極間を接続する電極配線の前記波形形状の振幅が、前記隣接する前記薄膜トランジスタのソース電極間の距離をＡとしたときに０．０１Ａ〜０．５Ａであることを特徴とする（１）〜（３）のいずれか１項に記載のアクティブマトリクス型表示装置。
【００１５】
（５）  隣接する前記薄膜トランジスタのゲート電極間を接続する前記電極配線の前記波形形状の波数が０．５〜５．０であることを特徴とする（１）〜（４）のいずれか１項に記載のアクティブマトリクス型表示装置。
【００１６】
（６）  隣接する前記薄膜トランジスタのゲート電極間を接続する電極配線の前記波形形状の振幅が、前記隣接する前記薄膜トランジスタのゲート電極間の距離をＢとしたときに０．０１Ｂ〜０．５Ｂであることを特徴とする（１）〜（５）のいずれか１項に記載のアクティブマトリクス型表示装置。
【００１７】
（７）  屈曲可能な基板上に画素となる表示素子毎に薄膜トランジスタを備えたアクティブマトリクス型表示装置において、前記薄膜トランジスタに接続される電極配線が複数の輪を連結した鎖形状であることを特徴とするアクティブマトリクス型表示装置。
【００１８】
（８）  隣接する前記薄膜トランジスタのソース電極間を接続する前記電極配線の前記輪の数が１〜１０であることを特徴とする（７）に記載のアクティブマトリクス型表示装置。
【００１９】
（９）  隣接する前記薄膜トランジスタのゲート電極間を接続する前記電極配線の前記輪の数が１〜１０であることを特徴とする（７）又は（８）に記載のアクティブマトリクス型表示装置。
【００２０】
【発明の実施の形態】
本発明のアクティブマトリクス型表示装置について、以下にその実施の形態を図を用いて説明するが、本発明はこれに限定されない。また、以下の説明には用語等に対する断定的な表現が含まれている場合があるが、本発明の好ましい例を示すものであって、本発明の用語の意義や技術的な範囲を限定するものではない。
【００２１】
図１に本発明のアクティブマトリクス型表示装置の一例の簡略化した概略図である。
【００２２】
本発明のアクティブマトリクス型表示装置は、屈曲可能な基板であるフレキシブル基板上に画素となる表示素子２と、表示素子毎に設けられた薄膜トランジスタ３を有する。
【００２３】
このようなフレキシブル基板を用いたアクティブマトリクス型表示素子は、通常の平面状態での使用に加え、例えば球面等のような曲面に貼り付けて使用したいような場合であっても、屈曲可能なフレキシブル基板を用いているのでディスプレイを曲面の形状に合わせて曲げて使用することが可能となる。
【００２４】
さらに、表示素子２毎に設けられた薄膜トランジスタ３のソース電極３１は、フレキシブル基板上に設けられたソース電極配線４に接続されている。また、薄膜トランジスタ３のゲート電極３２も同じくフレキシブル基板上に設けられたゲート電極配線５に接続されている。ソース電極配線４およびゲート電極配線５は、液晶駆動回路（図示せず）と接続されており、液晶駆動回路からそれぞれゲート信号（制御信号）およびソース信号（データ信号）が入力される。ソース電極配線４およびゲート電極配線５は、それぞれ多数本形成されており、立体的に交差している。
【００２５】
本発明のアクティブマトリクス型表示装置の薄膜トランジスタ素子３は例えば特開２０００−２５８８０２号公報等に記載される公知の薄膜トランジスタ及び製造方法を用いることができる。また、表示素子２についても同様に従来公知の材料及び製造法を用いることができる。
【００２６】
図１に示すように、本発明のアクティブマトリクス型表示装置は、薄膜トランジスタ３のソース電極３１に接続されるソース電極配線４や、ゲート電極３２に接続されるゲート電極配線５等の、電極配線が波形形状となっている。本発明は、電極配線をこの様な波形形状にすることで従来に比べ電極配線の耐屈曲性を向上させている。
【００２７】
波形形状の電極配線とは、基板上である程度の蛇行が繰り返される電極配線であり、直線形状や、角張って蛇行を繰り返すようなジグザグ形状は除かれる。電極配線を波形形状とすると、電極配線が直線形状である場合に比べて電極配線に伸縮性を持たせることができ、フレキシブル基板の屈曲時の電極配線の断線等の発生を抑えることができる。また、電極配線がジグザグ形状である場合に比べてフレキシブル基板の屈曲させたときに電極配線への部分的な応力の集中を分散させることができるので、電極配線の断線等の発生を抑えることができる。
【００２８】
ソース電極配線４やゲート電極配線５等の電極配線についても、従来公知の電極配線材料等を用いることができる。また、ソース電極配線４やゲート電極配線５等の電極配線の製造方法も従来公知の製造方法で製造することができるが、フレキシブル基板１上に波形形状に形成することが容易な製造方法が好ましく、例えば、スパッタリング法やイオンプレーティング法等により製膜され、フォトリソグラフィ法により波形形状に形成するのが好ましい。
【００２９】
本発明のアクティブマトリクス型表示装置では、電極配線の波形形状がサインカーブ状であることが好ましい。このように規則的な波形形状とすることでフレキシブル基板が屈曲したときに電極配線への応力集中をより一層緩和させることができる。
【００３０】
図２に波形形状の電極配線を例示するが、本発明はこれらに限定されるものではない。
【００３１】
本発明のアクティブマトリクス型表示素子では、隣接する薄膜トランジスタ３のソース電極間Ａ（図１参照）の波形形状のソース電極配線４の波数が０．５〜５．０であることが好ましい。ソース電極配線４の波形形状を、隣接する薄膜トランジスタ３間単位でこの範囲の波数となるようにすることでソース電極配線４の耐屈曲性をより一層向上させることができる。
【００３２】
本発明において、波数とは周期のことであり、波形形状の山と谷一対で１周期となる。
【００３３】
また、隣接する薄膜トランジスタ３のソース電極間Ａで、ソース電極間Ａのソース電極配線４の波形形状の振幅が０．０１Ａ〜０．５Ａとなることが好ましく、これにより、ソース電極配線４の耐屈曲性をより一層向上させることができる。
【００３４】
本発明のアクティブマトリクス型表示素子では、隣接する薄膜トランジスタ３のゲート電極間Ｂ（図１参照）の波形形状のゲート電極配線５の波数が０．５〜５．０であることが好ましい。ゲート電極配線５の波形形状を、隣接する薄膜トランジスタ３間単位でこの範囲の波数となるようにすることでゲート電極配線５の耐屈曲性をより一層向上させることができる。
【００３５】
また、隣接する薄膜トランジスタ３のゲート電極間Ｂで、ソース電極間Ｂのゲート電極配線５の波形形状の振幅が０．０１Ｂ〜０．５Ｂであることが好ましく、これにより、ゲート電極配線５の耐屈曲性をより一層向上させることができる。
【００３６】
図１に示すアクティブマトリクス型表示装置は、配線電極がこれらの範囲を満たしており、フレキシブル基板の屈曲による配線電極の耐久性が非常に高いものである。
【００３７】
本発明のアクティブマトリクス型表示素子では、各薄膜トランジスタ３のソース電極３１又はゲート電極３２に接続されるソース電極４やゲート電極５等の電極配線をそれぞれ複数本設けてもよい。これにより、たとえ電極配線の一つが断線したとしても、他の電極配線により接続された状態を保つことができることから断線の発生を抑えることができ、耐屈曲性をより一層向上させることができる。
【００３８】
図３に本発明の他のアクティブマトリクス型表示装置の一例の簡略化した概略図を示す。
【００３９】
図３に示すアクティブマトリクス型表示素子は、図１に示すアクティブマトリクス型表示素子の薄膜トランジスタ３のソース電極３１に接続されるソース電極配線４や、ゲート電極３２に接続されるゲート電極配線５を複数の輪を連結した鎖形状のものとしたものである。
【００４０】
ソース電極配線４やゲート電極配線５の電極配線の製造方法も従来公知の製造方法で製造することができるが、フレキシブル基板１上に複数の輪を連結した鎖形状に形成することが容易な製造方法が好ましく、例えば、スパッタリング法やイオンプレーティング法等により製膜され、フォトリソグラフィ法により鎖形状に形成するのが好ましい。
【００４１】
本発明の他のアクティブマトリクス型液晶表示素子は、電極配線を複数の輪を連結した鎖形状にすることで従来に比べ電極配線の耐屈曲性を向上させている。
【００４２】
複数の輪を連結させた鎖形状の電極配線とは、基板上で一定の大きさの電極材料で形成される輪を複数連ねて形成される電極配線であり、電極配線をこのような形状とすることで、電極配線が波形形状の時と同様に、フレキシブル基板の屈曲させたときに直線形状の電極配線に比べて電極配線に伸縮性を持たせることができ、電極配線の断線等の発生を抑えることができる。また、電極配線がジグザグ形状である場合に比べてフレキシブル基板の屈曲させたときに電極配線への部分的な応力の集中を分散させることができるので、電極配線の断線等の発生を抑えることができる。さらに、複数の輪を連結させていることから、輪の一部が電極配線が部分的に断線したとしても、他の部分で接続状態が保たれることから、断線の発生を抑えることができ、耐屈曲性をさらに向上することができる。
【００４３】
図４に、複数の形状の電極配線を例示するが、本発明はこれらに限定されるものではない。
【００４４】
鎖形状の輪は、真円でも楕円でも構わないが、隣接する薄膜トランジスタ３のソース電極間隔Ａで、ソース電極間隔Ａのソース電極配線４の鎖形状の輪の数が１〜１０であることが好ましく、より好ましくは１〜４である。これにより、ソース電極配線５の耐屈曲性をより一層向上させることができる。
【００４５】
また、隣接する薄膜トランジスタ３のゲート電極間隔Ｂで、ゲート電極間隔Ｂのゲート電極配線５の鎖形状の輪の数が１〜１０であることが好ましく、より好ましくは１〜４である。これにより、ゲート電極配線５の耐屈曲性をより一層向上させることができる。
【００４６】
図３に示すアクティブマトリクス型表示装置は、配線電極がこれらの範囲を満たしており、フレキシブル基板の屈曲による配線電極の耐久性が非常に高いものである。
【００４７】
【発明の効果】
本発明により、耐屈曲性の高いアクティブマトリクス型表示装置を提供することができた。
【図面の簡単な説明】
【図１】本発明のアクティブマトリクス型表示装置の一例を簡略化した概略図である。
【図２】本発明のアクティブマトリクス型表示装置の電極配線の形状の例を示した図である。
【図３】本発明の他のアクティブマトリクス型表示装置の一例を簡略化した概略図である。
【図４】本発明の他のアクティブマトリクス型表示装置の電極配線の形状の例を示した図である。
【符号の説明】
２  表示素子
３  薄膜トランジスタ
４  ソース電極配線
５  ゲート電極配線
３１  ソース電極
３２  ゲート電極
【図１】
2004294643.tif 000003
【図２】
2004294643.tif 000004
【図３】
2004294643.tif 000005
【図４】
2004294643.tif 000006